(57)【特許請求の範囲】
【請求項１】
光学軸がフィルム長手方向に対して平行又は直交する第１光学フィルムに貼着された剥離テープを、その貼着状態のまま前記剥離テープの一側縁側で前記一側縁に沿う方向に切断して、前記一側縁側の第１分割剥離テープと第２分割剥離テープとに分割し、前記第１光学フィルムをフィルム長手方向に対して設定角度を成す方向に前記第１及び第２分割剥離テープごと切断し、この切断により得られた平行四辺形の光学フィルム切り出し体に前記第１分割剥離テープを貼着状態のまま残して前記第２分割剥離テープを剥がし、光学軸がフィルム長手方向に対して平行又は直交する第２光学フィルムを一対の挟持ローラ側に送るとともに、前記光学フィルム切り出し体の切断された側の両側縁が、前記第２光学フィルムの両側縁に各別に沿うように、前記光学フィルム切り出し体を前記第１分割剥離テープ側から前記挟持ローラ側に送り、その挟持搬送で前記光学フィルム切り出し体と第２光学フィルムとを貼合させる光学フィルムの貼合方法。
【請求項２】
光学軸がフィルム長手方向に対して平行又は直交するとともに剥離テープが貼着された第１光学フィルムを、フィルム長手方向に対して設定角度を成す方向に順次切断し、その切断により得られた平行四辺形の光学フィルム切り出し体の切断されていない側の両側縁のうちの一側縁側で前記剥離テープをその貼着状態のまま前記一側縁に沿う方向に切断して、前記一側縁側の第１分割剥離テープと第２分割剥離テープとに分割し、前記光学フィルム切り出し体に前記第１分割剥離テープを貼着状態のまま残して前記第２分割剥離テープを剥がし、光学軸がフィルム長手方向に対して平行又は直交する第２光学フィルムを一対の挟持ローラ側に送るとともに、前記光学フィルム切り出し体の切断された側の両側縁が、前記第２光学フィルムの両側縁に各別に沿うように、前記光学フィルム切り出し体を前記第１分割剥離テープ側から前記挟持ローラ側に送り、その挟持搬送で前記光学フィルム切り出し体と第２光学フィルムとを貼合させる光学フィルムの貼合方法。
【発明の詳細な説明】
【０００１】
【発明の属する技術分野】
本発明は光学フィルムの貼合方法に関する。
【０００２】
【従来の技術】
例えばＳＴＮ型液晶表示装置（液晶分子のねじれ角を１８０°〜２７０°に設定したもの）では、ＳＴＮ型液晶の持つ複屈折性と可視光の波長との関係で画面が黄色や青色になって表示が見えにくくなる。
【０００３】
そこで、光学フィルムとしての複屈折性を有する偏光フィルムと位相差フィルムとを互いの光学軸（吸収軸又は遅相軸）が所定の角度を成す状態に貼合した光学フィルム積層チップを、液晶を封入しているガラス等に貼着し、これにより液晶セルの位相差を相殺して黒白表示を実現している。
【０００４】
従来、光学フィルム同士を上記のように貼合するのに、
［Ａ］光学軸がフィルム長手方向に対して平行又は直交するとともに剥離テープが貼着された第１光学フィルムを、フィルム長手方向に対して設定角度を成す方向にカッターで順次切断し、
［Ｂ］その切断により得られた平行四辺形の光学フィルム切り出し体から剥離テープを全て剥がすか、あるいは、光学フィルム切り出し体の切断されていない側の両側縁のうちいずれか一側縁側の剥離テープ部分を剥がし、
［Ｃ］光学軸がフィルム長手方向に対して平行又は直交する第２光学フィルムを一対の挟持ローラ側に送るとともに、
［Ｄ］光学フィルム切り出し体の切断された側の両側縁が第２光学フィルムの両側縁に沿うように、光学フィルム切り出し体を前記一側縁側から挟持ローラ側に送り、その挟持搬送で光学フィルム切り出し体と第２光学フィルムとを貼合させていた。
【０００５】
前記［Ｂ］のように光学フィルム切り出し体から前記一側縁側の剥離テープ部分だけを剥がした場合は、挟持ローラによる挟持搬送に伴って、残りの剥離テープ部分が剥がれていくように、作業者が前記一側縁側の剥がれた剥離テープ部分を手で保持しておく。
【０００６】
【発明が解決しようとする課題】
上記従来の方法によれば、前記［Ｂ］のように、光学フィルム切り出し体から剥離テープを全て剥がすか、あるいは、光学フィルム切り出し体の切断されていない側の両側縁のうちいずれか一側縁側の剥離テープ部分を剥がした状態で、その光学フィルム切り出し体を挟持ローラ側に送ることから、光学フィルム切り出し体が前記一側縁側からすぐに第２光学フィルムに貼合されていく。
【０００７】
そのために、光学フィルム切り出し体を挟持ローラ側に送るときに、その光学フィルム切り出し体の前記一側縁側、つまり、挟持ローラへの送り方向で下手側の光学フィルム切り出し体部分にしわが寄っていた場合、しわが寄ったまま光学フィルム切り出し体に第２光学フィルムが貼着されていき、また、鋭角の先端から貼合が始まるため、貼合開始直後のわずかなしわが、貼合幅が広くなるに伴って拡大する傾向にあり、貼合により得られる光学フィルム積層体が不良品になるという問題があった。
【０００８】
そして、前記［Ｂ］のようにして光学フィルム切り出し体から剥離テープを剥がすことで、光学フィルム切り出し体の前記一側縁側、つまり、挟持ローラへの送り方向で下手側の光学フィルム切り出し体部分が歪みやすくなっていた。
【０００９】
その結果、歪みが出た前記光学フィルム切り出し体部分と、これに対応する第２光学フィルム部分とを挟持ローラで挟持搬送し始めた場合、挟持搬送に伴ってそれらの間に空気をかみ込んで、光学フィルム切り出し体等にしわが生じ、上記と同様の問題があった。
【００１０】
本発明は上記実情に鑑みてなされたもので、その目的は、歩留りを良くすることができる光学フィルムの貼合方法を提供する点にある。
【００１１】
【課題を解決するための手段】
請求項１による発明の構成・作用・効果は次の通りである。
【００１２】
［構成］
光学軸がフィルム長手方向に対して平行又は直交する第１光学フィルムに貼着された剥離テープを、その貼着状態のまま前記剥離テープの一側縁側で前記一側縁に沿う方向に切断して、前記一側縁側の第１分割剥離テープと第２分割剥離テープとに分割し、前記第１光学フィルムをフィルム長手方向に対して設定角度を成す方向に前記第１及び第２分割剥離テープごと切断し、この切断により得られた平行四辺形の光学フィルム切り出し体に前記第１分割剥離テープを貼着状態のまま残して前記第２分割剥離テープを剥がし、光学軸がフィルム長手方向に対して平行又は直行する第２光学フィルムを一対の挟持ローラ側に送るとともに、前記光学フィルム切り出し体の切断された側の両側縁が、前記第２光学フィルムの両側縁に各別に沿うように、前記光学フィルム切り出し体を前記第１分割剥離テープ側から前記挟持ローラ側に送り、その挟持搬送で前記光学フィルム切り出し体と第２光学フィルムとを貼合させる。
【００１３】
［作用］
［イ］光学軸がフィルム長手方向に対して平行又は直交する第１光学フィルムに貼着された剥離テープを、その貼着状態のまま剥離テープの一側縁側で前記一側縁に沿う方向に切断して、前記一側縁側の第１分割剥離テープと第２分割剥離テープとに分割する。
【００１４】
そして、第１光学フィルムをフィルム長手方向に対して設定角度を成す方向に第１及び第２分割剥離テープごと切断して、平行四辺形の光学フィルム切り出し体を得る。
【００１５】
次に、平行四辺形の光学フィルム切り出し体に第１分割剥離テープを貼着状態のまま残して第２分割剥離テープを剥がす。
【００１６】
［ロ］光学軸がフィルム長手方向に対して平行又は直交する第２光学フィルムを一対の挟持ローラ側に送るとともに、光学フィルム切り出し体の切断された側の両側縁が、第２光学フィルムの両側縁に沿うように、光学フィルム切り出し体を第１分割剥離テープ側から挟持ローラ側に送り、その挟持搬送で光学フィルム切り出し体の露出した粘着面に第２光学フィルムを貼合させる。
【００１７】
［ハ］上記のように、光学フィルム切り出し体に第１分割剥離テープを貼着状態のまま残して第２分割剥離テープを剥がした状態で、その光学フィルム切り出し体を挟持ローラ側に送ることで、挟持搬送の当初に、光学フィルム切り出し体の前記一側縁側の第１分割剥離テープと、これに対応する第２光学フィルムとの間に滑りが生じやすく、例えば、光学フィルム切り出し体を挟持ローラ側に送るときに、その光学フィルム切り出し体の前記一側縁側、つまり、挟持ローラへの送り方向で下手側の光学フィルム切り出し体部分にしわが寄っていても、前記滑りに伴ってしわが伸ばされやすくなる。
【００１８】
そして上記のように、光学フィルム切り出し体に第１分割剥離テープを貼着状態のまま残して第２分割剥離テープを剥がすから、第１分割剥離テープの近傍の、粘着面が露出した光学フィルム切り出し体部分を第１分割剥離テープにより保形することができて、前記光学フィルム切り出し体部分に歪みが出るのを抑制することができる。
【００１９】
［効果］
従って、前記作用［イ］〜［ハ］により、挟持搬送に伴う光学フィルム切り出し体と第２光学フィルムとの間への空気のかみ込みを防止でき、光学フィルム切り出し体等にしわが発生するのを抑制できて、歩留りを良くすることができる光学フィルムの貼合方法を提供することができた。
【００２０】
請求項２による発明の構成・作用・効果は次の通りである。
【００２１】
［構成］
光学軸がフィルム長手方向に対して平行又は直交するとともに剥離テープが貼着された第１光学フィルムを、フィルム長手方向に対して設定角度を成す方向に順次切断し、その切断により得られた平行四辺形の光学フィルム切り出し体の切断されていない側の両側縁のうちの一側縁側で前記剥離テープをその貼着状態のまま前記一側縁に沿う方向に切断して、前記一側縁側の第１分割剥離テープと第２分割剥離テープとに分割し、前記光学フィルム切り出し体に前記第１分割剥離テープを貼着状態のまま残して前記第２分割剥離テープを剥がし、光学軸がフィルム長手方向に対して平行又は直交する第２光学フィルムを一対の挟持ローラ側に送るとともに、前記光学フィルム切り出し体の切断された側の両側縁が、前記第２光学フィルムの両側縁に各別に沿うように、前記光学フィルム切り出し体を前記第１分割剥離テープ側から前記挟持ローラ側に送り、その挟持搬送で前記光学フィルム切り出し体と第２光学フィルムとを貼合させる。
【００２２】
［作用］
［ニ］光学軸がフィルム長手方向に対して平行又は直交するとともに剥離テープが貼着された第１光学フィルムを、フィルム長手方向に対して設定角度を成す方向にカッターで順次切断し、これにより平行四辺形の光学フィルム切り出し体を得る。
【００２３】
そして、光学フィルム切り出し体の切断されていない側の両側縁のうちの一側縁側で剥離テープを前記一側縁に沿う方向に切断して、前記一側縁側の第１分割剥離テープと第２分割剥離テープとに分割する。
【００２４】
次に、光学フィルム切り出し体に第１分割剥離テープを貼着状態のまま残して第２分割剥離テープを剥がす。
【００２５】
［ホ］そして上記作用［ロ］と同様にして光学フィルム切り出し体と第２光学フィルムとを貼合する。
【００２６】
［ヘ］また前記作用［ハ］と同様の作用を奏することができる。
【００２７】
［効果］
従って、前記作用［ニ］〜［ヘ］により、挟持搬送に伴う光学フィルム切り出し体と第２光学フィルムとの間への空気のかみ込みを防止でき、光学フィルム切り出し体等にしわが発生するのを抑制できて、歩留りを良くすることができる光学フィルムの貼合方法を提供することができた。
【００２８】
【発明の実施の形態】
以下、本発明の実施の形態を図面に基づいて説明する。
【００２９】
図１，図２に光学フィルム積層体の製造設備を示してある（この設備で得た光学フィルム積層体からは液晶表示装置に貼着する光学フィルム積層チップを切り出す）。
【００３０】
前記光学フィルム積層体の製造設備は、光学軸がフィルム長手方向に対して平行な偏光フィルム１（第１光学フィルムに相当、粘着面に剥離テープ３４が付いている（図４参照））から平行四辺形の偏光フィルム切り出し体３（光学フィルムの切り出し体に相当）を切り出す偏光フィルムの切り出し装置２を設け、剥離テープ３４が剥がされた偏光フィルム切り出し体３と、光学軸がフィルム長手方向に対して平行な位相差フィルム４（第２光学フィルムに相当）とを、偏光フィルム切り出し体３の切断された側の両側縁と、位相差フィルム４の両側縁とが各別に沿う状態に貼合して光学フィルム積層体３１（図３参照）を得るフィルム貼合装置６を設けて構成してある。
【００３１】
次に、前記偏光フィルムの切り出し装置２とフィルム貼合装置６とについて説明する。
【００３２】
［偏光フィルムの切り出し装置２］
偏光フィルム１をフィルム長手方向に送る偏光フィルム供給部７と、この偏光フィルム供給部７からの偏光フィルム１に対する切断部８とから成る。
【００３３】
図５，図６にも示すように前記偏光フィルム供給部７は、偏光フィルム１をロール状に巻いた筒状の第１回転軸９の両端部をその径方向外方側と長手方向外方側とから回転自在に各別に支持する複数個の支持ローラ１０を切り出し装置フレーム１１に支持させるとともに、偏光フィルム１を挟持して繰り出す上下一対の繰り出しローラ１２を設けて構成してある。
【００３４】
前記第１回転軸９の両端に、その第１回転軸９の回転に抵抗を与える皮バンド３２を巻回して、繰り出しローラ１２の上手側での偏光フィルム１のたわみを防止してある。前記皮バンド３２の両端部には帯状のバネ３３を連結してあり、バネ３３に連結したフックを切り出し装置フレーム１１側の被係止部に係止させてある。
【００３５】
図示はしないが前記偏光フィルム１は、幅方向両端部に帯状のアルミニウム薄板材を重ねた状態でロール状に巻いて、偏光フィルム１の各巻き部分間にごみ等の異物が入り込むのを阻止するとともに、たとえごみ等を各巻き部分間に巻き込んでいても、ごみ等による押し形が偏光フィルム１につくのを回避するようにしてある。
【００３６】
前記アルミニウム薄板材は、偏光フィルム１が繰り出されてロール状から直線状になるに伴って、自重により偏光フィルム１から分離して床面側に回収される。
【００３７】
前記偏光フィルム１の繰り出しに伴って、偏光フィルム１に貼着された剥離テープ３４の一側部を切断する補助カッター１４を第１フィルム支持台１３に支持させてある。
【００３８】
つまり図４に示すように、剥離テープ３４を、その貼着状態のまま剥離テープ３４の一側縁側で前記一側縁に沿う方向に切断して、前記一側縁側の第１分割剥離テープ３４Ａと第２分割剥離テープ３４Ｂとに分割する。
【００３９】
前記切断部８は、前記第１フィルム支持台１３側から偏光フィルム１を受け入れて載置させる第２フィルム支持台１５を設け、第２フィルム支持台１５上の偏光フィルム１をフィルム長手方向と設定角度を成す方向に順次切断するカッター機構１６を設けて、平行四辺形の偏光フィルム切り出し体３を得るよう構成してある。
【００４０】
図１，図２，図７，図８に示すように前記第２フィルム支持台１５は、脚部材１９に円形の基板２０を支持させるとともに、補助カッター１４の切断ラインよりも上手側の基板部分に、樹脂製の段ボール２１を載置固定して構成してある。
【００４１】
そして、前記基板２０の上手側の周部に中空円弧状の空気流通路形成体２２を、その中空部が前記段ボール２１の仕切られた多数の空間に連通する状態に当てつけ固定するとともに、段ボール２１の下手側の端部を、その段ボール２１の前記多数の空間から空気が洩れないようにシールし、空気流通路形成体２２に空気供給部２３を連通接続し、空気供給部２３からの空気が空気流通路形成体２２・段ボール２１の前記多数の空間を流通して上方に噴出するように、段ボール２１の上面に多数の空気噴出口２４を貫通形成してある。
【００４２】
つまり、偏光フィルム供給部７に偏光フィルム１をフィルム長手方向に送らせるとともに、第２フィルム支持台１５の空気噴出口２４から空気を吹き上げさせて、偏光フィルム１をその下面に空気を吹き当てながら第２フィルム支持台１５に供給・載置させるようにしてある。
【００４３】
このように偏光フィルム１の下面に空気を吹き当てることで、第２フィルム支持台１５に加わる偏光フィルム１の重さを軽くすることができる。また、前記空気で偏光フィルム１を浮き上がらせれば前記重量をほぼゼロにすることもできる。
【００４４】
従って、第２フィルム支持台１５の支持台面から偏光フィルム１が受ける摺接抵抗を前者の場合は小さくでき、後者の場合はほぼゼロにすることができる。
【００４５】
前記カッター機構１６について説明すると、前記基板２０の上方側でその基板２０を横断するカッターケース１８を第２フィルム支持台１５に支持させてある。
【００４６】
図２に示すように前記カッターケース１８は、平面視で偏光フィルム１の送り方向（つまりフィルム長手方向）に対して設定角度傾斜する状態にその姿勢を設定してあり、カッターケース１８内を円形の主カッター１７がその長手方向に往復移動して偏光フィルム１を切断する。
【００４７】
前記主カッター１７が偏光フィルム１を切断するときは、カッターケース１８に昇降自在に支持させたフィルム押さえ部材（図示せず）を下降させて、偏光フィルム１を押さえつけた状態で切断し、切断が終わると押さえつけ部材を退避上昇させる。
【００４８】
前記繰り出しローラ１２は、偏光フィルム１を所定の長さだけ繰り出す状態と、繰り出しを停止した状態とを繰り返す。そして停止した状態で主カッター１７が偏光フィルム１を切断する。
【００４９】
［フィルム貼合装置６］
前記偏光フィルムの切り出し装置２の下手側に、偏光フィルムの切り出し装置２で切り出された平行四辺形の偏光フィルム切り出し体３を受け入れる第３フィルム支持台２５を配置するとともに、この第３フィルム支持台２５の下手側に第４フィルム支持台２６を配置し、位相差フィルム４を供給する位相差フィルム供給部２７を第４フィルム支持台２６に設け、偏光フィルム切り出し体３と、位相差フィルム供給部２７からの位相差フィルム４とを、それらが貼合されるように挟持搬送する一対の挟持ローラ２８を第４フィルム支持台２６に設けて構成してある。
【００５０】
前記偏光フィルムの切り出し装置２側から第３フィルム支持台２５側への偏光フィルム切り出し体３の移載は作業者が行う。
【００５１】
前記第３フィルム支持台２５は、その支持台面に沿う方向（詳しくは、支持台面に沿い、かつ、挟持ローラ２８側に向かう方向）への偏光フィルム切り出し体３の送りが許されるように設けてある。第３フィルム支持台２５に載置した偏光フィルム切り出し体３の挟持ローラ２８側への送り出しは作業者が行う。
【００５２】
前記第３フィルム支持台２５に、偏光フィルム切り出し体３を挟持ローラ２８側に送り出しガイドする複数のガイドローラ２９を設けてある。
【００５３】
このガイドローラ２９は偏光フィルム切り出し体３の切断された側の両側縁のうちの一側縁に当接し、作業者による偏光フィルム切り出し体３の挟持ローラ２８側への送り出しに伴って縦軸芯周りに回転する。
【００５４】
前記位相差フィルム供給部２７は、位相差フィルム４をロール状に巻いた筒状の第２回転軸３０を、第４フィルム支持台２６よりも上方側に位置する状態にその第４フィルム支持台２６に回転自在に支持させて構成してある。
【００５５】
上記構造の設備により、偏光フィルム切り出し体３と位相差フィルム４とを次のようにして貼合する（図３等参照）。
【００５６】
1)  偏光フィルム供給部７からの偏光フィルム１の繰り出しに伴って、偏光フィルム１に貼着された剥離テープ３４を、その貼着状態のまま剥離テープ３４の一側縁側で前記一側縁に沿う方向に補助カッター１４で切断して、前記一側縁側の第１分割剥離テープ３４Ａと第２分割剥離テープ３４Ｂとに分割する。
【００５７】
2)  偏光フィルムの切り出し装置２における主カッター１７で、偏光フィルム１をフィルム長手方向に対して設定角度を成す方向に順次切断して、平行四辺形の偏光フィルム切り出し体３を得る。
【００５８】
3)  偏光フィルム切り出し体３の切断された側の両側縁が、位相差フィルム供給部２７からの位相差フィルム４の長手方向に沿う状態に、作業者が偏光フィルム切り出し体３を偏光フィルムの切り出し装置２側から第３フィルム支持台２５に移載する。
【００５９】
4)  前記偏光フィルム切り出し体３に第１分割剥離テープ３４Ａを貼着状態のまま残して、第２分割剥離テープ３４Ｂを第１分割剥離テープ３４Ａに近い側から一部剥がす。
【００６０】
5)  挟持ローラ２８を作動させて、位相差フィルム４を一対の挟持ローラ２８側に送るとともに、偏光フィルム切り出し体３の切断された側の両側縁が、第２光学フィルムの両側縁に各別に沿うように、作業者が偏光フィルム切り出し体３を第１分割剥離テープ３４Ａ側から挟持ローラ２８側に送る。
【００６１】
6)  一対の挟持ローラ２８が偏光フィルム切り出し体３と位相差フィルム４とを挟持搬送する（この場合、第２分割剥離テープ３４Ｂの剥がされた部分を作業者が手で保持しておく）。
【００６２】
これにより、偏光フィルム切り出し体３の切断された側の両側縁と、位相差フィルム４の両側縁とが各別に沿う状態に、偏光フィルム切り出し体３の露出した粘着面に位相差フィルム４が貼合される。
【００６３】
また、第２分割剥離テープ３４Ｂの剥がされた部分を作業者が手で保持していることから、第２分割剥離テープ３４Ｂが挟持ローラ２８の挟持搬送に伴って剥がれる。
【００６４】
例えば、偏光フィルム切り出し体３から第２分割剥離テープ３４Ｂの全体を剥がした後に、偏光フィルム切り出し体３を挟持ローラ２８側に送ると、偏光フィルム切り出し体３の粘着面にごみ等の異物が付着しやすくなるとともに、前記粘着面に作業者の手等が触れることがあるが、上記の手段では、第２分割剥離テープ３４Ｂが挟持ローラ２８の挟持搬送に伴って剥がれていくから上記の問題を解消することができる。
【００６５】
7)  位相差フィルム４の供給に伴って、作業者が偏光フィルム切り出し体３を一対の挟持ローラ２８側に順次供給していくと、一連の位相差フィルム４に複数の偏光フィルム切り出し体３が順次貼合されていき、偏光フィルム切り出し体３と位相差フィルム４とを貼合した帯状の光学フィルム積層体３１を得ることができる。
【００６６】
8)  作業者が帯状の光学フィルム積層体３１を偏光フィルム切り出し体３の形状に沿って切断して、カットシート状の光学フィルム積層体３１を得るとともに、このカットシート状の光学フィルム積層体３１から液晶表示装置の大きさに合わせて光学フィルム積層チップを切り出す。
【００６７】
［別実施形態］
上記の実施形態では、前記1)のように、偏光フィルム供給部７からの偏光フィルム１の繰り出しに伴って、偏光フィルム１に貼着された剥離テープ３４を、その貼着状態のまま剥離テープ３４の一側縁側で前記一側縁に沿う方向に補助カッター１４で切断して、前記一側縁側の第１分割剥離テープ３４Ａと第２分割剥離テープ３４Ｂとに分割したが、これに換えて次の手段を採ってもよい。
【００６８】
つまり、
1)  前記剥離テープ３４を分割することなく、偏光フィルム１をフィルム長手方向に対して設定角度を成す方向に主カッター１７で順次切断して、平行四辺形の偏光フィルム切り出し体３を得る。
【００６９】
2)  偏光フィルム切り出し体３の切断された側の両側縁が、位相差フィルム供給部２７からの位相差フィルム４の長手方向に沿う状態に、作業者が偏光フィルム切り出し体３を偏光フィルムの切り出し装置２側から第３フィルム支持台２５に移載する（図３参照）。
【００７０】
3)  偏光フィルム切り出し体３の切断されていない側の両側縁のうちの一側縁側で、剥離テープ３４を前記一側縁に沿う方向に作業者がカッターにより切断して、前記一側縁側の第１分割剥離テープ３４Ａと第２分割剥離テープ３４Ｂとに分割する。
【００７１】
次に、上記の第１実施形態における4)〜8)の手順と同様の手順でフィルムを貼合する。
【００７２】
前記偏光フィルム１又は位相差フィルム４は、光学軸がフィルム長手方向に対して直交しているものであってもよい。
【００７３】
前記第２分割剥離テープ３４Ｂの全体を偏光フィルム切り出し体３から剥がしてからその偏光フィルム切り出し体３を挟持ローラ２８側に送ってもよい。
【図面の簡単な説明】
【図１】光学フィルム積層体の製造設備の概略側面図
【図２】光学フィルム積層体の製造設備の概略平面図
【図３】光学フィルム積層体の製造工程を示す概略図
【図４】図２におけるＢ−Ｂ視図
【図５】偏光フィルム供給部の構造を示す正面図
【図６】図４におけるＡ−Ａ視図
【図７】偏光フィルムの切り出し装置における切断部を示す一部切欠き斜視図
【図８】偏光フィルムの切り出し装置における切断部を示す縦断面図
【符号の説明】
１            第１光学フィルム
３            光学フィルム切り出し体
４            第２光学フィルム
２８            挟持ローラ
３４            剥離テープ
３４Ａ          第１分割剥離テープ
３４Ｂ          第２分割剥離テープ
【図１】
0003793376.tif 000002
【図２】
0003793376.tif 000003
【図３】
0003793376.tif 000004
【図４】
0003793376.tif 000005
【図５】
0003793376.tif 000006
【図６】
0003793376.tif 000007
【図７】
0003793376.tif 000008
【図８】
0003793376.tif 000009